(57)【要約】【課題】吸収体に皺が発生し難くて吸収性能が阻害され難く、吸収性物品の見栄えが良くて使用感が向上する吸収性物品を提供すること。【解決手段】本発明の吸収性物品１は、腹側伸縮部ＷＡ及び背側伸縮部ＷＢに吸収性本体２に接合される本体側シート３２と外面側シート３１とを有する。本体側シート３２又は外面側シート３１は伸縮シートである。該伸縮シートは高伸縮部位３１Ｈと低伸縮部位３１ＬとがＹ方向に交互に配されている。腹側伸縮部ＷＡ又は背側伸縮部ＷＢには、伸縮シートが配され、吸収体２３と重なる領域２３ＰＴでは伸縮シートの高伸縮部位３１Ｈが接合されて第１接合部位１ＪＴを形成している。そして、吸収体２３と重ならない領域２３ＮＴでは伸縮シートの低伸縮部位３１Ｌが接合されて第２接合部位２ＪＴを形成して且つ伸縮シートの高伸縮部位３１Ｈが接合されていない第２非接合部位２ＮＪＴを形成している。【選択図】図５
2018108338.tif 000002
【特許請求の範囲】
【請求項１】
縦方向に腹側領域および背側領域と、それらの間に位置する股下領域とを備え、前記腹側領域と前記背側領域とに亘って吸収性材料を含む吸収体を具備する吸収性本体を有し、該腹側領域及び該背側領域それぞれに横方向に延びる腹側伸縮部及び背側伸縮部を有する吸収性物品であって、
前記腹側伸縮部及び前記背側伸縮部は、それぞれ、前記吸収性本体に接合される本体側シートと、該本体側シートの非肌対向面に配される外面側シートとを有し、
前記本体側シート及び前記外面側シートの少なくとも一方は、横方向に伸縮性を有する伸縮シートであり、
前記伸縮シートは、相対的に伸縮性の高い高伸縮部位と相対的に伸縮性の低い低伸縮部位とが横方向に交互に配されており、
前記腹側伸縮部及び前記背側伸縮部の少なくとも一方には、前記伸縮シートが配され、前記吸収体と重なる領域においては前記本体側シートと前記外面側シートとが前記高伸縮部位で接合される第１接合部位を形成し、前記吸収体よりも外方の該吸収体と重ならない領域においては該本体側シートと該外面側シートとが前記低伸縮部位で接合される第２接合部位を形成し且つ前記高伸縮部位で接合されていない第２非接合部位を形成している、吸収性物品。
【請求項２】
前記吸収体と重なる領域においては、前記本体側シートと前記外面側シートとが前記低伸縮部位で接合されていない第１非接合部位を形成し、該第１非接合部位と前記第１接合部位とが、縦方向に連続して形成されており、横方向に交互に配されている、請求項１に記載の吸収性物品。
【請求項３】
前記吸収体と重なる領域においては、前記第１接合部位は、前記高伸縮部位の全域に形成されている、請求項１又は２に記載の吸収性物品。
【請求項４】
前記本体側シート及び前記外面側シートは、一方が前記伸縮シートであり、他方が非伸縮性のシートである、請求項１〜３の何れか１項に記載の吸収性物品。
【請求項５】
前記吸収性物品は、前記吸収性本体の非肌対向面側に配されて該吸収性本体を固定している外装体を具備し、
前記外装体は、前記本体側シートと前記外面側シートとを有し、
前記吸収性本体及び前記外装体との固定部位の位置と、前記吸収体と重なる領域における前記第１接合部位の位置とが重なっている、請求項１〜４の何れか１項に記載の吸収性物品。
【請求項６】
前記腹側伸縮部又は前記背側伸縮部の前記吸収体と重ならない領域の面積（Ｓ23NT）に対する、前記第２非接合部位の面積の総和（Ｓ2NJT）の割合（（Ｓ2NJT／Ｓ23NT）×１００）は、２５％以上であり、そして、８０％以下である、請求項１〜５の何れか１項に記載の吸収性物品。
【請求項７】
前記腹側伸縮部又は前記背側伸縮部の前記吸収体と重ならない領域に関し、前記第２接合部位の面積の総和（Ｓ2JT）に対する、前記第２非接合部位の面積の総和（Ｓ2NJT）の割合（（Ｓ2NJT／Ｓ2JT）×１００）は、１００％以上であり、そして、１０００％以下である、請求項１〜６の何れか１項に記載の吸収性物品。
【発明の詳細な説明】
【技術分野】
【０００１】
本発明は、使い捨ておむつ、生理用ナプキン等の吸収性物品に関する。
【背景技術】
【０００２】
例えば、パンツ型使い捨ておむつには、吸収体を備えた縦長の吸収性本体の外側に外装体が配されている。このような外装体に用いる伸縮性の複合シートとして、例えば、特許文献１に記載の複合シートが知られている。
【０００３】
特許文献１に記載の伸縮性の複合シートは、非伸縮性シート、伸縮性不織布、及び該非伸縮性シートと該伸縮性不織布とを貼り合わせる接着部分を備えるシートである。このような伸縮性の複合シートを、例えばパンツ型使い捨ておむつの外装体にしようすれば、使い捨ておむつの見栄えが良く、使用感が向上する。
【先行技術文献】
【特許文献】
【０００４】
【特許文献１】ＷＯ２００８／０６６００９号パンフレット
【発明の概要】
【発明が解決しようとする課題】
【０００５】
しかし、特許文献１には、非伸縮性シートと伸縮性不織布とを接着部分にて貼り合わせた伸縮性の複合シートを、外装体に用いる場合に、該複合シートと吸収性材料を含む吸収体との接合位置について、何ら記載されていない。例えば、吸収体と重なる位置に単に伸縮性の複合シートを接合配置しただけでは、複合シートの収縮によって吸収体に皺が発生し、吸収体の吸収性能が阻害され、漏れを生じてしまう可能性がある。
【０００６】
したがって本発明は、前述した従来技術が有する欠点を解消し得る吸収性物品を提供することにある。
【課題を解決するための手段】
【０００７】
本発明は、縦方向に腹側領域および背側領域と、それらの間に位置する股下領域とを備え、前記腹側領域と前記背側領域とに亘って吸収性材料を含む吸収体を具備する吸収性本体を有し、該腹側領域及び該背側領域それぞれに横方向に延びる腹側伸縮部及び背側伸縮部を有する吸収性物品であって、前記腹側伸縮部及び前記背側伸縮部は、それぞれ、前記吸収性本体に接合される本体側シートと、該本体側シートの非肌対向面に配される外面側シートとを有し、前記本体側シート及び前記外面側シートの少なくとも一方は、横方向に伸縮性を有する伸縮シートであり、前記伸縮シートは、相対的に伸縮性の高い高伸縮部位と相対的に伸縮性の低い低伸縮部位とが横方向に交互に配されており、前記腹側伸縮部及び前記背側伸縮部の少なくとも一方には、前記伸縮シートが配され、前記吸収体と重なる領域においては前記本体側シートと前記外面側シートとが前記高伸縮部位で接合される第１接合部位を形成し、前記吸収体よりも外方の該吸収体と重ならない領域においては該本体側シートと該外面側シートとが前記低伸縮部位で接合される第２接合部位を形成し且つ前記高伸縮部位で接合されていない第２非接合部位を形成している、吸収性物品を提供するものである。
【発明の効果】
【０００８】
本発明によれば、吸収体に皺が発生し難くて吸収性能が阻害され難く、吸収性物品の見栄えが良くて使用感が向上する。
【図面の簡単な説明】
【０００９】
【図１】図１は、本発明の好ましい一実施形態であるパンツ型使い捨ておむつの斜視図である。
【図２】図２は、図１に示すおむつを展開して引き伸ばした状態を肌当接面側から視た一部破断展開平面図である。
【図３】図３は、図１に示すおむつを分解して模式的に示す分解斜視図である。
【図４】図４は、図１に示すおむつを構成する伸縮性を有する外面側シートの斜視図である。
【図５】図５は、図２に示すＶ―Ｖ線断面図である。
【図６】図６（ａ）は図２に示すＶＩ―ＶＩ線断面図であり、図６（ｂ）は図６（ａ）が収縮した状態を示す断面図である。
【発明を実施するための形態】
【００１０】
以下、本発明をその好ましい実施形態に基づき図面を参照しながら説明する。
本発明の吸収性物品は、縦方向Ｘに腹側領域Ａおよび背側領域Ｂと、それらＡ，Ｂの間に位置する股下領域Ｃとを備え、腹側領域Ａと背側領域Ｂとに亘って吸収性材料を含む吸収体２３を有し、腹側領域Ａ及び背側領域Ｂそれぞれに横方向Ｙに延びる腹側伸縮部ＷＡ及び背側伸縮部ＷＢを有している。ここで、腹側領域Ａとは使い捨ておむつの着用時に着用者の腹側に配される領域であり、背側領域Ｂとは使い捨ておむつの着用時に着用者の背側に配される領域である。そして、腹側伸縮部ＷＡは、このような着用者の腹側に配される腹側領域Ａに形成されている。また、背側伸縮部ＷＢは、このような着用者の背側に配される背側領域Ｂに形成されている。
【００１１】
図１及び図２には、本発明の吸収性物品の一実施形態であるパンツ型使い捨ておむつ１（以下、「おむつ１」ともいう。）が示されている。おむつ１は、図１及び図２に示すとおり、吸収性本体２と、吸収性本体２の非肌対向面側に配されて該吸収性本体２を固定する外装体３とを備え、外装体３は腹側領域Ａ及び背側領域Ｂそれぞれに横方向Ｙに延びる腹側伸縮部ＷＡ及び背側伸縮部ＷＢを有している。おむつ１は、外装体３の腹側領域Ａの左右両側縁部３ａ１，３ａ１と外装体３の背側領域Ｂの左右両側縁部３ｂ１，３ｂ１とが接合されて一対のサイドシール部５，５、ウエスト開口部ＷＨ及び一対のレッグ開口部ＬＨ，ＬＨが形成されている使い捨ておむつである。好適に、おむつ１の外装体３は、図２に示すように、展開させかつ伸長させた状態を平面視して、着用時に着用者の腹側に配される腹側領域Ａ、着用時に着用者の背側に配される背側領域Ｂ、及び腹側領域Ａと背側領域Ｂとの間の股下領域Ｃに区分されている。
【００１２】
上述したおむつ１を展開させかつ伸長させた状態とは、図２に示すように、サイドシール部５を引き剥がして、おむつ１を展開状態とし、その展開状態のおむつ１を、各部の弾性部材を伸長させて、設計寸法（弾性部材の影響を一切排除した状態で平面状に広げたときの寸法と同じ）となるまで広げた状態を意味する。
【００１３】
本明細書において、「肌対向面」とは、おむつ１又はその構成部材における、着用時に着用者の肌側に向けられる面であり、「非肌対向面」とは、おむつ１又はその構成部材における、着用時に着用者の肌側とは反対側（着衣側）に向けられる面である。おむつ１において、縦方向（Ｘ方向）とは、平面に展開させかつ伸長させた状態で、腹側領域Ａから背側領域Ｂにわたる方向のことである。また、横方向（Ｙ方向）とは、縦方向（Ｘ方向）と直交する方向であり、平面に展開させかつ伸長させた状態のおむつ１の幅方向のことである。
また、おむつ１は、図２に示す、縦方向（Ｘ方向）に延びる縦中心線ＣＬ１に対して左右対称形となっている。尚、図２中のＣＬ２は、おむつ１を縦方向（Ｘ方向）に二分する横方向（Ｙ方向）に延びる横中心線であり、縦中心線ＣＬ１に直交している。
【００１４】
おむつ１では、吸収性本体２は、図２に示すとおり、おむつ１を展開させかつ伸長させた状態において、縦方向（Ｘ方向）が相対的に長い縦長の形状を有している。吸収性本体２は、肌対向面を形成する液透過性の表面シート２１と、非肌対向面を形成する液難透過性（撥水性も含む）の裏面シート２２と、これら両シート２１，２２間に介在配置された液保持性の吸収体２３とを具備する。おむつ１では、吸収性本体２の縦方向（Ｘ方向）の全長は吸収体２３のそれと同じであり、吸収体２３の前後端部２３Ａ，２３Ｂの外端２３Ａ１，２３Ｂ１の位置は、図２に示すように、吸収性本体２の前後端部の外端の位置と同位置にある。また、吸収性本体２の縦方向（Ｘ方向）に沿う両側部には、図２に示すように、縦方向（Ｘ方向）に伸長状態で配された弾性部材２５を有する防漏カフ２４，２４が設けられている。具体的には、防漏カフ２４は、液不透過性又は撥水性で且つ通気性の素材から構成されており、各防漏カフ２４の自由端部近傍には、防漏カフ形成用弾性部材２５が縦方向（Ｘ方向）に伸長した状態で配されている。おむつの着用時には、防漏カフ形成用弾性部材２５の収縮により防漏カフ２４の自由端部側が起立して、横方向（Ｙ方向）への体液の流出が阻止される。
【００１５】
以上のように構成された吸収性本体２は、図２に示すように、その縦方向（Ｘ方向）を、展開かつ伸長状態におけるおむつ１の縦方向（Ｘ方向）に一致させて、外装体３の中央部に、本体固定用接着剤４によって接合されている。本体固定用接着剤４の塗工位置は、図３に示すように、吸収性本体２の縦方向Ｘに沿う両側部に少なくとも対応した位置に形成されている。このように、外装体３は、使い捨ておむつ１の厚み方向における、吸収性本体２を構成する裏面シート２２の非肌対向面側に配されて本体固定用接着剤４によって接着固定されている。従って、おむつ１では、吸収性本体２を構成する吸収体２３が、腹側領域Ａと背側領域Ｂとに亘って配されている。
【００１６】
腹側伸縮部ＷＡ及び背側伸縮部ＷＢは、それぞれ、吸収性本体２に接合される本体側シート３２と、該本体側シート３２の非肌対向面に配される外面側シート３１とを有している。本発明では、本体側シート３２及び外面側シート３１の少なくとも一方は、横方向に伸縮性を有する伸縮シートであるところ、おむつ１では、外面側シート３１が横方向（Ｙ方向）に伸縮性を有する伸縮シートである。また、本発明では、腹側伸縮部ＷＡ及び背側伸縮部ＷＢの少なくとも一方に、前記伸縮シートが配されていればよいところ、おむつ１では、腹側伸縮部ＷＡ及び背側伸縮部ＷＢの両方に、前記伸縮シートが配されている。尚、おむつ１では、本体側シート３２は、伸縮性を有しておらず非伸縮性のシートである。
【００１７】
おむつ１では、図３に示すように、吸収性本体２を接着固定する外装体３が、着用状態においておむつ１の外面即ち非肌対向面を形成する外面側シート３１と、外面側シート３１の肌対向面に対向配置された本体側シート３２とを有し、外面側シート３１及び本体側シート３２の積層体を含んで構成されている。おむつ１の着用状態において、外面側シート３１は着用者の身体から遠い側に位置して、おむつ１の非肌対向面（外面）を形成し、本体側シート３２は着用者の身体に近い側に位置して、おむつ１の肌対向面（内面）を形成する。外面側シート３１と本体側シート３２とは、所定の部位においてヒートシール、超音波シール、接着剤等の接合手段を介して互いに接合されている。
【００１８】
おむつ１では、図３に示すように、本体側シート３２は１枚の連続したシートから構成されているのに対し、外面側シート３１は複数枚のシートが組み合わされて構成されており、具体的には、腹側領域Ａを構成する腹側外面側シート３１Ａと、背側領域Ｂを構成する背側外面側シート３１Ｂと、両シート３１Ａ，３１Ｃ間に位置して股下領域Ｃを構成する股下外面側シート３１Ｃとを含んで構成されている。外面側シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００１９】
おむつ１では、図３に示すように、腹側外面側シート３１Ａは、本体側シート３２の腹側領域Ａ側の縦方向Ｘの端部から外方に延出する腹側延出部３１ＡＥを有し、また、背側外面側シート３１Ｂは、本体側シート３２の背側領域Ｂ側の縦方向Ｘの端部から外方に延出する背側延出部３１ＢＥを有しており、両延出部３１ＡＥ，３１ＢＥは、それぞれ、本体側シート３２上に配置固定された吸収性本体２の縦方向Ｘの両端部を覆うように、本体側シート３２側に折り返され、接着剤によって、両延出部３１ＡＥ，３１ＢＥと対向するおむつ１の他の構成部材（本体側シート３２、吸収性本体２、防漏カフ２４）に固定されている。
【００２０】
上述の通り、おむつ１の外面側シート３１は横方向Ｙに伸縮性を有しているところ、特におむつ１では、外面側シート３１は部分的に横方向Ｙに伸縮性を有している。即ち、おむつ１では、図３に示すように、外面側シート３１を構成する３枚の腹側外面側シート３１Ａ、背側外面側シート３１Ｂ及び股下外面側シート３１Ｃのうち、腹側外面側シート３１Ａ及び背側外面側シート３１Ｂが横方向Ｙに伸縮性を有し、股下外面側シート３１Ｃは伸縮性を有しておらず非伸縮性である。
【００２１】
本発明において、「横方向Ｙに伸縮性を有する」とは、伸縮性を有するシートの横方向Ｙの最大伸度が１００％以上であり、該シートを該横方向Ｙに伸度１００％まで伸長させた後、収縮させたときの伸長回復率（１００％伸長時の伸長回復率）が、少なくとも７０％以上であることを意味する。おむつ１では、腹側外面側シート３１Ａ及び背側外面側シート３１Ｂが何れも横方向Ｙに伸縮性を有するシートである。シートの伸長回復率は、以下の測定方法により測定される。
【００２２】
＜シートの伸長回復率の測定方法＞
測定対象のシートから長さ５０ｍｍ、幅２５ｍｍのサンプル片を用意する。引張試験機（株式会社オリエンテックの「テンシロン」ＲＴＣ−１１５０Ａ）のチャック間（チャック間隔Ｋ０）にサンプル片を固定し、引張速度３００ｍｍ／ｍｉｎでチャック間を拡げることでサンプル片を引っ張り、サンプル片の１００％伸長時の長さＫ２（＝Ｋ０×２）まで伸長させた後、引張速度と同速度でチャック間を狭めていき、引張応力が０になった時点でのサンプル片の長さを伸長回復後の長さＫ１とする。次式により、測定対象のシートの１００％伸長時の伸長回復率を算出する。
１００％伸長時の伸長回復率（％）＝〔（Ｋ２−Ｋ１）／（Ｋ２−Ｋ０）〕×１００
【００２３】
また本発明において、非伸縮性のシートとは、前記＜シートの伸長回復率の測定方法＞により測定した伸長回復率が２０％以下のシート、又は１００％伸長する前に破断するシートを意味する。おむつ１では、股下外面側シート３１Ｃ及び本体側シート３２が何れも非伸縮性のシートである。
【００２４】
おむつ１の伸縮性の腹側外面側シート３１Ａ及び背側外面側シート３１Ｂとしては、例えば（１）弾性繊維層の両面又は片面に伸長可能な繊維層が一体化されている伸縮シート、（２）ネット状の弾性シートの両面又は片面に伸長可能な繊維層が一体化されている伸縮シート、（３）弾性フィルムからなる弾性シートの両面又は片面に伸長可能な繊維層が一体化されている伸縮シート、（４）互いに交差せずに一方向に延びるように配列した多数の弾性フィラメントが、実質的に非伸長状態で、それらの全長にわたり、伸長可能な不織布に接合されてなる伸縮シート等を好ましく用いることができる。弾性繊維層と伸長可能な繊維層との一体化の方法としては、例えば、これらを積層して水流交絡したり、エアスルー等により繊維を交絡させる方法、ヒートエンボス、接着剤、超音波等によって接合させたりする方法が挙げられる。
【００２５】
おむつ１では、伸縮シートである外面側シート３１は、相対的に伸縮性の高い高伸縮部位３１Ｈと相対的に伸縮性の低い低伸縮部位３１Ｌとが横方向Ｙに交互に配されている。好適に、おむつ１では、図５及び図６に示すように、外面側シート３１を構成する伸縮性の腹側外面側シート３１Ａ及び背側外面側シート３１Ｂが、高伸縮部位３１Ｈと低伸縮部位３１Ｌとが横方向Ｙに交互に配されて形成されている。
【００２６】
図４には、おむつ１に使用する伸縮シートの好ましい一例が示されている。図４に示す腹側外面側シート３１Ａ及び背側外面側シート３１Ｂは、前記（４）の伸縮シートに相当するもので、非弾性繊維を主体とする伸長可能な繊維層の一面に糸状の弾性フィラメントが接合した構成を有し、該繊維層としての２枚の繊維シート３６，３７と、両シート３６，３７間に介在配置された該弾性フィラメントとしての弾性部材３８とを含んで構成されている。斯かる構成を有する伸縮性の腹側外面側シート３１Ａ及び背側外面側シート３１Ｂは、例えば、特開２００９−６１７４３号公報に記載の方法に従って、歯と歯底が周方向に交互に形成された一対の歯溝ロールの噛み合わせ部分に挿入し、延伸して形成される。高伸縮部位３１Ｈは、一方の歯溝ロールの歯及び他方の歯溝ロールの歯によって大きく延伸された部位であり、低伸縮部位３１Ｌは、一方の歯溝ロールの歯及び他方の歯溝ロールの歯それぞれとの当接部位であり殆ど延伸されていない部位である。おむつ１の腹側外面側シート３１Ａ及び背側外面側シート３１Ｂにおいては、縦方向Ｘに連続して延びる高伸縮部位３１Ｈと縦方向Ｘに連続して延びる低伸縮部位３１Ｌとが、横方向Ｙに交互に配されている。
【００２７】
おむつ１では、伸縮性の腹側外面側シート３１Ａ及び背側外面側シート３１Ｂを構成する２枚のシート３６，３７（図４参照）は、何れも伸長可能なものである。シート３６，３７は、弾性部材３８の延びる方向（横方向Ｙ）と同方向に伸長可能になっている。伸長可能とは、（ａ）シート３６，３７の構成繊維自体が伸長する場合と、（ｂ）構成繊維自体は伸長しなくても、交点において結合していた繊維どうしが離れたり、繊維どうしの結合等により複数本の繊維で形成された立体構造が構造的に変化したり、構成繊維がちぎれたりして、シート３６，３７全体として伸長する場合とを包含する。
【００２８】
おむつ１では、伸縮性の腹側外面側シート３１Ａ及び背側外面側シート３１Ｂを構成する弾性部材３８（図４参照）は、弾性樹脂が溶融又は軟化した状態で延伸されて形成された弾性フィラメントである。複数の弾性部材３８は、それぞれ、腹側外面側シート３１Ａ及び背側外面側シート３１Ｂの全長（外装体３の横方向Ｙの全長）にわたって実質的に連続している。複数の弾性部材３８は、互いに交差せずに一方向（横方向Ｙ）に延びるように配列している。弾性部材３８は、実質的に非伸長状態で２枚のシート３６，３７に接合されている。腹側外面側シート３１Ａ及び背側外面側シート３１Ｂにおける弾性部材３８のシート３６，３７との接合は、シート３６，３７を構成する繊維（非弾性繊維）が弾性部材３８中に埋没した状態で該弾性部材３８に融着することによりなされたものであり、ホットメルト型接着剤等の接着剤を用いてなされたものではない。従って、シート３６，３７（非弾性繊維を主体とする伸長可能な繊維層）とこれに接合されている弾性部材３８との間には接着剤が存在しない。
【００２９】
おむつ１では、伸縮性の腹側外面側シート３１Ａ及び背側外面側シート３１Ｂは、弾性部材３８の延びる方向（横方向Ｙ）と同方向に伸縮可能になっている（図４参照）。腹側外面側シート３１Ａ及び背側外面側シート３１Ｂの伸縮性は、高伸縮部位３１Ｈにおける弾性部材３８の弾性に起因して発現する。腹側外面側シート３１Ａ及び背側外面側シート３１Ｂを弾性部材３８の延びる方向と同方向に引き伸ばすと、高伸縮部位３１Ｈにおける弾性部材３８及びシート３６，３７が伸長する一方、低伸縮部位３１Ｌにおける弾性部材３８及びシート３６，３７は伸長しない。そして腹側外面側シート３１Ａ及び背側外面側シート３１Ｂの引き伸ばしを解除すると、高伸縮部位３１Ｈにおける弾性部材３８が収縮し、その収縮に連れて高伸縮部位３１Ｈにおけるシート３６，３７が引き伸ばし前の状態に復帰する。
【００３０】
高伸縮部位３１Ｈ及び低伸縮部位３１Ｌそれぞれに関し、弾性部材３８の延びる方向（横方向Ｙ）の伸長時の長さは、収縮時を１００％としたとき、高伸縮部位３１Ｈの横方向Ｙの長さが低伸縮部位３１Ｌの横方向Ｙの長さよりも長いことを前提として、高伸縮部位３１Ｈが、１３０％以上であることが好ましく、３００％以上であることが更に好ましく、上限値が６００％以下であることが好ましい。そして、低伸縮部位３１Ｌが、２００％以下であることが好ましく、１７０％以下であることが更に好ましく、下限値が１００％以上であることが好ましい。前記伸長時の長さは、以下の測定方法により測定される。
【００３１】
＜高伸縮部位３１Ｈ及び低伸縮部位３１Ｌの横方向Ｙの伸長時の長さ＞
高伸縮部位３１Ｈと低伸縮部位３１Ｌとが横方向Ｙに交互に配された伸縮シートを、弾性部材３８の延びる方向（横方向Ｙ）へ２００ｍｍ、縦方向Ｘへ５０ｍｍの大きさで矩形のサンプル片を切り出す。そして、ペン等を用いて、高伸縮部位３１Ｈ及び低伸縮部位３１Ｌの部分に印を付け、高伸縮部位３１Ｈ及び低伸縮部位３１Ｌの部分それぞれの横方向Ｙの長さを予め測定する。該サンプル片を、オリエンテック製テンシロンＲＴＣ１２１０Ａに装着する。チャック間距離は１５０ｍｍである。装着したサンプル片を、弾性部材３８の延びる方向（横方向Ｙ）へ１００ｍｍ／分の速度で伸長させ、サンプル片の伸びが止まったところで、伸長時の高伸縮部位３１Ｈ及び低伸縮部位３１Ｌの部分それぞれの横方向Ｙの長さを測定する。そして得られた、高伸縮部位３１Ｈの部分の横方向Ｙの長さをＬａとし、伸長時の高伸縮部位３１Ｈの部分の横方向Ｙの長さをＬｂとしたとき、｛Ｌｂ／Ｌａ｝×１００を、高伸縮部位３１Ｈの横方向Ｙの伸長時の長さ（％）として算出する。また、低伸縮部位３１Ｌの横方向Ｙの伸長時の長さ（％）も、同様にして算出する。
【００３２】
おむつ１では、腹側外面側シート３１Ａ及び背側外面側シート３１Ｂを構成する２枚のシート３６，３７（図４参照）は、それぞれ、短繊維の不織布であり得る。不織布としては、エアスルー不織布、ヒートロール不織布、スパンレース不織布、スパンボンド不織布、メルトブローン不織布等が挙げられる。シート３６とシート３７とは、同種のものでも良く、あるいは異種のものでも良い。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも１つが異なる場合には、「異種のシート」である。
【００３３】
おむつ１では、伸縮性の腹側外面側シート３１Ａ及び背側外面側シート３１Ｂを構成する弾性部材３８（弾性フィラメント）（図４参照）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、腹側外面側シート３１Ａ及び背側外面側シート３１Ｂに好適である。熱可塑性エラストマーとしては、例えば、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられ、これらの１種を単独で又は２種以上を組み合わせて用いることができる。また、これらの樹脂からなる芯鞘型又はサイド・バイ・サイド型の複合繊維を用いることもできる。
【００３４】
一方、おむつ１では、非伸縮性の股下外面側シート３１Ｃ及び本体側シート３２（図３参照）として、それぞれ、各種製法による不織布が好ましく用いられ、例えば、スパンボンド不織布、エアスルー不織布、ニードルパンチ不織布等である。非伸縮性のシート３１Ｃ，３２として用いる不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。非伸縮性の股下外面側シート３１Ｃ及び本体側シート３２として用いる不織布を構成する繊維は、短繊維でも長繊維でも良く、親水性でも撥水性でも良い。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００３５】
おむつ１では、図２及び図３に示すように、腹側領域Ａ及び背側領域Ｂそれぞれには、糸状又は帯状のウエスト弾性部材３３が横方向Ｙに伸長状態で複数本配され、それら複数本のウエスト弾性部材３３は縦方向Ｘに所定間隔を置いて間欠配置されている。このように、ウエスト弾性部材３３がその弾性伸縮性が発現される状態で配されていることにより、ウエスト開口部ＷＨの開口縁部には、その全周にわたって実質的に連続した環状のウエストギャザーが形成される。また、一対のレッグ開口部ＬＨ，ＬＨそれぞれの開口縁部を形成するレッグ縁部には、糸状又は帯状の１本又は複数本のレッグギャザー形成用のレッグ弾性部材３４が伸長状態で配されており、これによって一対のレッグ開口部ＬＨ，ＬＨそれぞれの開口縁部には、その全周にわたって実質的に連続した環状のレッグギャザーが形成される。これらの弾性部材３３，３４は、何れも外装体３を構成する外面側シート３１と本体側シート３２との間に接着剤等の接合手段により挟持固定されている。
【００３６】
おむつ１では、腹側伸縮部ＷＡ及び背側伸縮部ＷＢは、それぞれ、図５及び図６（ａ）に示すように、本体側シート３２の非肌対向面に伸縮シートから形成された外面側シート３１が横方向Ｙに伸長状態で配されて形成されている。好適に、おむつ１の腹側伸縮部ＷＡは、本体側シート３２の非肌対向面に伸縮性の腹側外面側シート３１Ａが横方向Ｙに伸長状態で配され固定されて形成されている。また、おむつ１の背側伸縮部ＷＢは、本体側シート３２の非肌対向面に伸縮性の背側外面側シート３１Ｂが横方向Ｙに伸長状態で配され固定されて形成されている。ここで、外面側シート３１を横方向Ｙに伸長状態で配するとは、図２に示すように、糸状又は帯状のウエスト弾性部材３３及びレッグ弾性部材３４、並びに弾性フィラメントである弾性部材３８を伸長させて、設計寸法（弾性部材の影響を一切排除した状態で平面状に広げたときの寸法と同じ）となるまで広げた状態を意味する。
【００３７】
おむつ１の腹側伸縮部ＷＡ及び背側伸縮部ＷＢには、それぞれ、吸収体２３と重なる領域２３ＰＴにおいては本体側シート３２と外面側シート３１とが伸縮シートの高伸縮部位３１Ｈで接合される第１接合部位１ＪＴを形成し、吸収体２３よりも外方の吸収体２３と重ならない領域２３ＮＴにおいては本体側シート３２と外面側シート３１とが伸縮シートの低伸縮部位３１Ｌで接合される第２接合部位２ＪＴを形成し且つ伸縮シートの高伸縮部位３１Ｈで接合されていない第２非接合部位２ＮＪＴを形成している。好適に、おむつ１の腹側伸縮部ＷＡ及び背側伸縮部ＷＢにおいては、それぞれ、図５に示すように、非伸縮性のシートである本体側シート３２と伸縮シートである外面側シート３１とを有し、吸収体２３と重なる領域２３ＰＴでは本体側シート３２と外面側シート３１の高伸縮部位３１Ｈとが第１接合部位１ＪＴで接合された状態となっている。そして、おむつ１の腹側伸縮部ＷＡ及び背側伸縮部ＷＢにおいては、それぞれ、吸収体２３よりも外方の吸収体２３と重ならない領域２３ＮＴでは本体側シート３２と外面側シート３１の低伸縮部位３１Ｌとが第２接合部位２ＪＴで接合され且つ本体側シート３２と外面側シート３１の高伸縮部位３１Ｈとが接合されていない状態となっている。
【００３８】
好適に、おむつ１の腹側領域Ａでは、非伸縮性の本体側シート３２の非肌対向面に伸縮性の腹側外面側シート３１Ａが横方向Ｙに伸長状態で配され、図５に示すように、本体側シート３２及び腹側外面側シート３１Ａが、吸収体２３と重なる領域２３ＰＴでは、本体側シート３２と腹側外面側シート３１Ａの伸長状態の高伸縮部位３１Ｈとが第１接合部位１ＪＴで接合されて腹側伸縮部ＷＡが形成されている。さらに、本体側シート３２及び腹側外面側シート３１Ａが、吸収体２３よりも外方の吸収体２３と重ならない領域２３ＮＴでは、図６（ａ）に示すように、本体側シート３２と腹側外面側シート３１Ａの伸長状態の低伸縮部位３１Ｌとが第２接合部位２ＪＴで接合され且つ本体側シート３２と腹側外面側シート３１Ａの高伸縮部位３１Ｈとが接合されずに腹側伸縮部ＷＡが形成されている、おむつ１の腹側領域Ａにおいて、「吸収体２３と重ならない領域２３ＮＴ」とは、図２に示すように、吸収性本体２を構成する吸収体２３の縦方向（Ｘ方向）の前端部２３Ａの外端２３Ａ１よりも縦方向Ｘの外方（横中心線ＣＬ２側と反対側）に位置するエンドフラップ部分である。そして、該エンドフラップ部分に加えて、吸収体２３の縦方向（Ｘ方向）に沿う両側部よりも横方向Ｙ外方であって、該エンドフラップ部分の縦方向Ｘの下端とサイドシール部５の下端との間に位置するサイドフラップ部分を加えた領域を意味する。
【００３９】
図５に示す腹側領域Ａと同様に、おむつ１の背側領域Ｂでは、非伸縮性の本体側シート３２の非肌対向面に伸縮性の背側外面側シート３１Ｂが横方向Ｙに伸長状態で配され、本体側シート３２及び背側外面側シート３１Ｂが、吸収体２３と重なる領域２３ＰＴでは、本体側シート３２と背側外面側シート３１Ｂの伸長状態の高伸縮部位３１Ｈとが第１接合部位１ＪＴで接合されて背側伸縮部ＷＢが形成されている。さらに、本体側シート３２及び伸長状態の背側外面側シート３１Ｂが、吸収体２３よりも外方の吸収体２３と重ならない領域２３ＮＴでは、図６（ａ）に示す腹側領域Ａと同様に、本体側シート３２と背側外面側シート３１Ｂの伸長状態の低伸縮部位３１Ｌとが第２接合部位２ＪＴで接合され且つ本体側シート３２と背側外面側シート３１Ｂの伸長状態の高伸縮部位３１Ｈとが接合されずに背側伸縮部ＷＢが形成されている。おむつ１の背側領域Ｂにおいて、「吸収体２３と重ならない領域２３ＮＴ」とは、おむつ１の腹側領域Ａと同様に、図２に示すように、吸収性本体２を構成する吸収体２３の縦方向（Ｘ方向）の後端部２３Ｂの外端２３Ｂ１よりも縦方向Ｘの外方（横中心線ＣＬ２側と反対側）に位置するエンドフラップ部分である。そして、該エンドフラップ部分に加えて、吸収体２３の縦方向（Ｘ方向）に沿う両側部よりも横方向Ｙ外方であって、該エンドフラップ部分の縦方向Ｘの下端とサイドシール部５の下端との間に位置するサイドフラップ部分を加えた領域を意味する。
【００４０】
このように、おむつ１の腹側伸縮部ＷＡ及び背側伸縮部ＷＢでは、それぞれ、図５に示すように、非伸縮性の本体側シート３２と伸縮性を有する外面側シート３１とが、吸収体２３と重なる領域２３ＰＴにおいては、本体側シート３２と外面側シート３１の伸長状態の高伸縮部位３１Ｈとで接合されている。その為、吸収体２３と重なる領域２３ＰＴにおいては、外面側シート３１の伸長状態を解除しても、高伸縮部位３１Ｈの収縮が阻害され易く、おむつ１には、吸収体２３に皺が発生し難く、吸収体２３の吸収性能が阻害され難い。
【００４１】
また、おむつ１の腹側伸縮部ＷＡ及び背側伸縮部ＷＢでは、それぞれ、図６（ａ）に示すように、吸収体２３と重ならない領域２３ＮＴにおいては、おむつ１の外面を形成する伸縮性の外面側シート３１の伸長状態の低伸縮部位３１Ｌと本体側シート３２とで接合され且つ外面側シート３１の高伸縮部位３１Ｈと本体側シート３２とで接合されていない。その為、吸収体２３と重ならない領域２３ＮＴにおいては、図６（ｂ）に示すように外面側シート３１の伸長状態を解除すると、高伸縮部位３１Ｈの収縮が阻害され難く、おむつ１の外面を形成する外面側シート３１に皺が発生し難く、おむつ１の外面の見栄えが良い。また、外面側シート３１の伸長状態を解除すると、図６（ｂ）に示すように、高伸縮部位３１Ｈの収縮により、高伸縮部位３１Ｈに隣り合う一対の低伸縮部位３１Ｌ，３１Ｌで接合された本体側シート３２の部分どうしの間の本体側シート３２の部分が肌対向面側に膨らむように変形し易いため、高伸縮部位３１Ｈとの間に空間Ｇが形成され易く、その結果肌触りが良好になり易くなり、また、通気性が向上し、使用感が向上する。特に、おむつ１では、本体側シート３２が非伸縮性のシートである為、高伸縮部位３１Ｈとの間に空間Ｇが更に形成され易く、肌触りが良好になり易く、通気性が更に向上し、使用感が更に向上する。
【００４２】
おむつ１では、吸収体２３と重なる領域２３ＰＴにおいては、本体側シート３２と外面側シート３１とが伸縮シートの低伸縮部位３１Ｌで接合されていない第１非接合部位１ＮＪＴを形成している。即ち、吸収体２３と重なる領域２３ＰＴにおいては、図５に示すように、本体側シート３２と伸縮シートで形成された外面側シート３１の低伸縮部位３１Ｌとが接合されていない。好適には、おむつ１の腹側領域Ａでは、本体側シート３２及び腹側外面側シート３１Ａが、吸収体２３と重なる領域２３ＰＴでは、本体側シート３２と腹側外面側シート３１Ａの伸長状態の高伸縮部位３１Ｈとが第１接合部位１ＪＴにて接合されており、且つ本体側シート３２と腹側外面側シート３１Ａの低伸縮部位３１Ｌとが第１非接合部位１ＮＪＴにて接合されていない。同様に、おむつ１の背側領域Ｂでは、本体側シート３２及び背側外面側シート３１Ｂが、吸収体２３と重なる領域２３ＰＴでは、本体側シート３２と背側外面側シート３１Ｂの伸長状態の高伸縮部位３１Ｈとが第１接合部位１ＪＴにて接合されており、且つ本体側シート３２と背側外面側シート３１Ｂの低伸縮部位３１Ｌとが第１非接合部位１ＮＪＴにて接合されていない。
【００４３】
おむつ１の吸収体２３と重なる領域２３ＰＴでは、図３に示すように、本体側シート３２及び外面側シート３１の第１接合部位１ＪＴと、本体側シート３２及び外面側シート３１の第１非接合部位１ＮＪＴとが、縦方向Ｘに連続して形成されており、横方向Ｙに交互に配されている。好適に、吸収体２３と重なる領域２３ＰＴでは、腹側外面側シート３１Ａ或いは背側外面側シート３１Ｂの高伸縮部位３１Ｈと本体側シート３２との第１接合部位１ＪＴが、縦方向Ｘに連続しており、腹側外面側シート３１Ａ或いは背側外面側シート３１Ｂの低伸縮部位３１Ｌと本体側シート３２との第１非接合部位１ＮＪＴが、縦方向Ｘに連続している。そして、縦方向Ｘに連続する第１接合部位１ＪＴと縦方向Ｘに連続する第１非接合部位１ＮＪＴとが横方向Ｙに交互に配されている。
【００４４】
おむつ１では、吸収体２３と重なる領域２３ＰＴでは、図５に示すように、本体側シート３２と外面側シート３１の低伸縮部位３１Ｌとが第１非接合部位１ＮＪＴにて接合されておらず、本体側シート３２と外面側シート３１の高伸縮部位３１Ｈとが第１接合部位１ＪＴで接合されている。また、吸収体２３と重なる領域２３ＰＴでは、図３に示すように、本体側シート３２及び外面側シート３１の第１接合部位１ＪＴと、本体側シート３２及び外面側シート３１の第１非接合部位１ＮＪＴとが、縦方向Ｘに連続して形成されており、横方向Ｙに交互に配されている。その為、おむつ１には、吸収体２３に更に皺が発生し難く、吸収性能が更に阻害され難い。
【００４５】
おむつ１では、吸収体２３よりも外方の吸収体２３と重ならない領域２３ＮＴでは、図６（ａ）に示すように、本体側シート３２と外面側シート３１の低伸縮部位３１Ｌとが第２接合部位２ＪＴにて接合され、本体側シート３２と外面側シート３１の高伸縮部位３１Ｈとが第２非接合部位２ＮＪＴにて接合されていない。重ならない領域２３ＮＴにおいても、図３に示すように、第２接合部位２ＪＴ及び第２非接合部位２ＮＪＴが、縦方向Ｘに連続しており、縦方向Ｘに連続する第２接合部位２ＪＴと縦方向Ｘに連続する第２非接合部位２ＮＪＴとが横方向Ｙに交互に配されている。また、ウエストの折り返し部に関しても同様に縦方向Ｘに連続する第２接合部位２ＪＴと縦方向Ｘに連続する第２非接合部位２ＮＪＴとが横方向Ｙに交互に配されている。おむつ１では、図３に示すように、吸収体２３に重なる領域２３ＰＴと吸収体２３に重ならない領域２３ＮＴとの縦方向Ｘの境界において、吸収体２３に重なる領域２３ＰＴに配された縦方向Ｘに連続する第１接合部位１ＪＴ及び第１非接合部位１ＮＪＴが、吸収体２３と重ならない領域２３ＮＴに配された縦方向Ｘに連続する第２接合部位２ＪＴ及び第２非接合部位２ＮＪＴと連続しておらず、分断している。このように吸収体２３に重なる領域２３ＰＴと吸収体２３に重ならない領域２３ＮＴとの縦方向Ｘの境界において、縦方向Ｘに連続する第１接合部位１ＪＴ及び第２接合部位２ＪＴが分断していると、吸収体２３に更に皺が発生し難く、吸収性能が更に阻害され難い。
【００４６】
吸収体２３に重なる領域２３ＰＴにおいて吸収体２３に更に皺が発生し難く、吸収性能が更に阻害され難くする観点からは、吸収体２３と重なる領域２３ＰＴでは、本体側シート３２及び外面側シート３１の第１接合部位１ＪＴは、外面側シート３１の高伸縮部位３１Ｈの全域に形成されていることが好ましい。好適には、おむつ１を展開させかつ伸長させた状態において、腹側外面側シート３１Ａ或いは背側外面側シート３１Ｂの高伸縮部位３１Ｈを平面視して、該高伸縮部位３１Ｈの輪郭で囲まれた領域内全域に第１接合部位１ＪＴが形成されていることが好ましい。
【００４７】
また、おむつ１では、図５に示すように、吸収性本体２及び外装体３との固定部位の位置、即ち本体固定用接着剤４の塗工位置と、吸収体２３と重なる領域２３ＰＴにおける本体側シート３２及び外面側シート３１の第１接合部位１ＪＴの位置とが重なっている。このように重なっていれば、吸収体２３に重なる領域２３ＰＴにおいて吸収体２３に更に皺が発生し難くなる。図５に示すように断面視して、吸収体２３に皺が発生し難くなるとの観点から、本体固定用接着剤４の塗工部分と第１接合部位１ＪＴとは、横方向Ｙに一部重なっていればよいが、本体固定用接着剤４の塗工部分の横方向Ｙの範囲内に第１接合部位１ＪＴの横方向Ｙの全域が含まれていることが好ましい。
【００４８】
上述した効果を一層奏する観点から、おむつ１では、以下の構成の１つ又は複数を備えていることが好ましい。
【００４９】
おむつ１を展開させかつ伸長させた状態を図２に示すように平面視して、腹側領域Ａに関し、吸収体２３と重ならない領域２３ＮＴの横方向Ｙの長さの総和（各前記サイドフラップ部分の横方向Ｙの長さの総和）に対する吸収体２３と重なる領域２３ＰＴの横方向Ｙの長さの割合（（Ｌ23PT／Ｌ23NT）×１００）は、吸収体にしわが発生するのを防止し吸収性能の低下を防ぐ観点から、２０％以上であることが好ましく、３０％以上であることが更に好ましく、そして、６５％以下であることが好ましく、５５％以下であることが更に好ましく、具体的には、２０％以上６５％以下であることが好ましく、３０％以上５５％以下であることが更に好ましい。そして、背側領域Ｂに関しても同様に、吸収体２３と重ならない領域２３ＮＴの横方向Ｙの長さの総和（各前記サイドフラップ部分の横方向Ｙの長さの総和）に対する吸収体２３と重なる領域２３ＰＴの横方向Ｙの長さの割合（（Ｌ23PT／Ｌ23NT）×１００）は、２０％以上であることが好ましく、３０％以上であることが更に好ましく、そして、６５％以下であることが好ましく、５５％以下であることが更に好ましく、具体的には、２０％以上６５％以下であることが好ましく、３０％以上５５％以下であることが更に好ましい。
【００５０】
おむつ１を展開させかつ伸長させた状態を図２に示すように平面視して、腹側領域Ａに関し、吸収体２３と重なる領域２３ＰＴの面積（Ｓ23PT）に対する、本体側シート３２と腹側外面側シート３１Ａの高伸縮部位３１Ｈとの接合部位である各第１接合部位１ＪＴの面積の総和（Ｓ1JT）の割合（（Ｓ1JT／Ｓ23PT）×１００）は、２５％以上であることが好ましく、３５％以上であることが更に好ましく、そして、７０％以下であることが好ましく、６０％以下であることが更に好ましく、具体的には、２５％以上７０％以下であることが好ましく、３５％以上６０％以下であることが更に好ましい。尚、背側領域Ｂに関しても、腹側領域Ａと同様である。
【００５１】
また、おむつ１を展開させかつ伸長させた状態を図５に示すように断面視して、腹側領域Ａの吸収体２３と重なる領域２３ＰＴに関し、外面側シート３１の高伸縮部位３１Ｈの横方向Ｙの長さ（Ｗ２）に対する、本体側シート３２と腹側外面側シート３１Ａの高伸縮部位３１Ｈとの接合部位である第１接合部位１ＪＴの横方向Ｙの長さ（Ｗ１）の割合（（Ｗ１／Ｗ２）×１００）は、６０％以上であることが好ましく、８０％以上であることが更に好ましく、そして、１５０％以下であることが好ましく、１２０％以下であることが更に好ましく、具体的には、６０％以上１５０％以下であることが好ましく、８０％以上１２０％以下であることが更に好ましい。尚、背側領域Ｂに関しても、腹側領域Ａと同様である。
このような範囲にすることにより、吸収体にしわが発生するのを防止するだけでなく、防漏シートとの未接着部位を作ることにより隙間ができ、通気性が向上するという効果をより奏しやすい。
【００５２】
また、おむつ１を展開させかつ伸長させた状態を図５に示すように断面視して、腹側領域Ａの吸収体２３と重なる領域２３ＰＴに関し、外面側シート３１の低伸縮部位３１Ｌの横方向Ｙの長さ（Ｗ３）に対する、本体側シート３２と腹側外面側シート３１Ａの高伸縮部位３１Ｈとの接合部位である第１接合部位１ＪＴの横方向Ｙの長さ（Ｗ１）の割合（（Ｗ１／Ｗ３）×１００）は、５０％以上であることが好ましく、７０％以上であることが更に好ましく、そして、１４０％以下であることが好ましく、１２０％以下であることが更に好ましく、具体的には、５０％以上１４０％以下であることが好ましく、７０％以上１２０％以下であることが更に好ましい。尚、背側領域Ｂに関しても、腹側領域Ａと同様である。
【００５３】
また、おむつ１を展開させかつ伸長させた状態を図５に示すように断面視して、腹側領域Ａの吸収体２３と重なる領域２３ＰＴに関し、吸収性本体２と外装体３との固定部位である本体固定用接着剤４の横方向Ｙの長さ（Ｗ４）に対する、外面側シート３１の高伸縮部位３１Ｈの横方向Ｙの長さ（Ｗ２）の割合（（Ｗ２／Ｗ４）×１００）は、６０％以上であることが好ましく、８０％以上であることが更に好ましく、そして、１５０％以下であることが好ましく、１２０％以下であることが更に好ましく、具体的には、６０％以上１５０％以下であることが好ましく、８０％以上１２０％以下であることが更に好ましい。尚、背側領域Ｂに関しても、腹側領域Ａと同様である。
【００５４】
また、おむつ１を展開させかつ伸長させた状態を図２に示すように平面視して、腹側領域Ａに関し、吸収体２３と重ならない領域２３ＮＴの面積（Ｓ23NT）に対する、本体側シート３２と外面側シート３１の低伸縮部位３１Ｌとの接合部位である各第２接合部位２ＪＴの面積の総和（Ｓ2JT）の割合（（Ｓ2JT／Ｓ23NT）×１００）は、２０％以上であることが好ましく、３５％以上であることが更に好ましく、そして、７５％以下であることが好ましく、６５％以下であることが更に好ましく、具体的には、２０％以上７５％以下であることが好ましく、３５％以上６５％以下であることが更に好ましい。尚、背側領域Ｂに関しても、腹側領域Ａと同様である。
このような範囲にすることにより、ホットメルト塗工量を低減し、剛性を低減させることで風合いが向上する効果をより奏しやすい。
【００５５】
また、おむつ１を展開させかつ伸長させた状態を図２に示すように平面視して、腹側領域Ａに関し、吸収体２３と重ならない領域２３ＮＴの面積（Ｓ23NT）に対する、本体側シート３２と外面側シート３１の高伸縮部位３１Ｈとが接合されていない部位である各第２非接合部位２ＮＪＴの面積の総和（Ｓ2NJT）の割合（（Ｓ2NJT／Ｓ23NT）×１００）は、２５％以上であることが好ましく、３５％以上であることが更に好ましく、そして、８０％以下であることが好ましく、６５％以下であることが更に好ましく、具体的には、２５％以上８０％以下であることが好ましく、３５％以上６５％以下であることが更に好ましい。尚、背側領域Ｂに関しても、腹側領域Ａと同様である。
このような範囲にすることにより、ホットメルト塗工量を低減し、剛性を低減させることで風合いが向上する効果をより奏しやすい。
【００５６】
さらに、おむつ１を展開させかつ伸長させた状態を図２に示すように平面視して、腹側領域Ａの吸収体２３と重ならない領域２３ＮＴに関し、各第２接合部位２ＪＴの面積の総和（Ｓ2JT）に対する、各第２非接合部位２ＮＪＴの面積の総和（Ｓ2NJT）の割合（（Ｓ2NJT／Ｓ2JT）×１００）は、１００％以上であることが好ましく、２００％以上であることが更に好ましく、そして、１０００％以下であることが好ましく、８００％以下であることが更に好ましく、具体的には、１００％以上１０００％以下であることが好ましく、２００％以上８００％以下であることが更に好ましい。尚、背側領域Ｂの吸収体２３と重ならない領域２３ＮＴに関しても、腹側領域Ａの吸収体２３と重ならない領域２３ＮＴと同様である。
【００５７】
また、おむつ１を展開させかつ伸長させた状態を図６（ａ）に示すように断面視して、腹側領域Ａの吸収体２３と重ならない領域２３ＮＴに関し、外面側シート３１の高伸縮部位３１Ｈの横方向Ｙの長さ（Ｗ２）に対する、本体側シート３２と外面側シート３１の低伸縮部位３１Ｌとの接合部位である第２接合部位２ＪＴの横方向Ｙの長さ（Ｗ５）の割合（（Ｗ５／Ｗ２）×１００）は、５０％以上であることが好ましく、７０％以上であることが更に好ましく、そして、１５０％以下であることが好ましく、１００％以下であることが更に好ましく、具体的には、５０％以上１５０％以下であることが好ましく、７０％以上１００％以下であることが更に好ましい。尚、背側領域Ｂに関しても、腹側領域Ａと同様である。
【００５８】
また、おむつ１を展開させかつ伸長させた状態を図６（ａ）に示すように断面視して、腹側領域Ａの吸収体２３と重ならない領域２３ＮＴに関し、外面側シート３１の低伸縮部位３１Ｌの横方向Ｙの長さ（Ｗ３）に対する、本体側シート３２と外面側シート３１の低伸縮部位３１Ｌとの接合部位である第２接合部位２ＪＴの横方向Ｙの長さ（Ｗ５）の割合（（Ｗ５／Ｗ３）×１００）は、４０％以上であることが好ましく、７０％以上であることが更に好ましく、そして、１４０％以下であることが好ましく、１００％以下であることが更に好ましく、具体的には、４０％以上１４０％以下であることが好ましく、７０％以上１００％以下であることが更に好ましい。尚、背側領域Ｂに関しても、腹側領域Ａと同様である。
【００５９】
また、おむつ１を展開させかつ伸長させた状態を図５及び図６（ａ）に示すように断面視して、腹側領域Ａに関し、本体側シート３２と外面側シート３１の低伸縮部位３１Ｌとの接合部位である第２接合部位２ＪＴの横方向Ｙの長さ（Ｗ５）に対する、本体側シート３２と腹側外面側シート３１Ａの高伸縮部位３１Ｈとの接合部位である第１接合部位１ＪＴの横方向Ｙの長さ（Ｗ１）の割合（（Ｗ１／Ｗ５）×１００）は、５０％以上であることが好ましく、７０％以上であることが更に好ましく、そして、２００％以下であることが好ましく、１５０％以下であることが更に好ましく、具体的には、５０％以上２００％以下であることが好ましく、７０％以上１５０％以下であることが更に好ましい。尚、背側領域Ｂに関しても、腹側領域Ａと同様である。
【００６０】
上述したおむつ１の各部の形成材料について説明する。
吸収性本体２を構成する表面シート２１、裏面シート２２、吸収体２３及び防漏カフ２４等としては、使い捨ておむつ等の吸収性物品に従来用いられている各種のもの等を特に制限なく用いることができる。例えば、表面シート２１としては、単層又は多層構造の不織布や、開孔フィルム等を用いることができる。裏面シート２２としては、透湿性の樹脂フィルム等を用いることができる。吸収体２３としては、吸収性ポリマーの粒子及び繊維材料から構成された吸収性材料からなる吸収性コアをティッシュペーパーによって被覆されているものを用いることができる。また、防漏カフ２４としては、撥水性の単層又は多層構造の不織布等を用いることができる。
【００６１】
弾性部材（防漏カフ形成用弾性部材２５、ウエスト弾性部材３３、レッグ弾性部材３４等）としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形、若しくは多角形状等の糸状（糸ゴム等）、又は紐状（平ゴム等）のもの等を好ましく用いることができる。
【００６２】
本体固定用接着剤４、又はレッグ弾性部材３４を固定する帯状の接着剤（不図示）としては、使い捨ておむつ等の吸収性物品に従来用いられている各種のホットメルト接着剤等を特に制限なく用いることができる。本体固定用接着剤４の塗工は、例えば、コーターを用いて、吸収性本体２を構成する裏面シート２２の非肌対向面及び外装体３を構成する本体側シート３２の肌対向面の一方に塗工されている。
【００６３】
本体側シート３２及び外面側シート３１の第１接合部位１ＪＴ及び第２接合部位２ＪＴは、使い捨ておむつ等の吸収性物品に従来用いられている各種のホットメルト接着剤等を、例えば、コーターを用いて塗工することにより形成できる。また、第１接合部位１ＪＴ及び第２接合部位２ＪＴは、熱エンボス加工、超音波シール加工、レーザー加工等を用いて形成できる。
【００６４】
サイドシール部５を形成する加工としては、熱エンボス加工、超音波シール加工、レーザー加工等が挙げられる。
【００６５】
以上、本発明をその好ましい実施形態に基づき説明したが、本発明は上述した実施形態に制限されず適宜変更可能である。
例えば、上述したおむつ１では、図５及び図６に示すように、外面側シート３１が横方向（Ｙ方向）に伸縮性を有する伸縮シートで形成されており、且つ本体側シート３２が非伸縮性のシートで形成されているが、本体側シート３２が横方向（Ｙ方向）に伸縮性を有する伸縮シートで形成されており、且つ外面側シート３１が非伸縮性のシートで形成されていてもよく、本体側シート３２及び外面側シート３１が何れも横方向に伸縮性を有する伸縮シートで形成されていてもよい。本体側シート３２が伸縮シートの場合、肌に対して襞のない伸縮材が触れるため、ギャザー痕がつきにくくなる。
【００６６】
また、おむつ１では、腹側伸縮部ＷＡ及び背側伸縮部ＷＢの両方に、伸縮シートが配されているが、腹側伸縮部ＷＡ及び背側伸縮部ＷＢの何れか一方に、伸縮シートが配されていればよい。
【００６７】
また、おむつ１では、図５に示すように、吸収体２３と重なる領域２３ＰＴでは、本体側シート３２と外面側シート３１の高伸縮部位３１Ｈとが第１接合部位１ＪＴで接合されており、本体側シート３２と外面側シート３１の低伸縮部位３１Ｌとが第１非接合部位１ＮＪＴにて接合されていないが、本体側シート３２と外面側シート３１の高伸縮部位３１Ｈとの接合のみならず、本体側シート３２と外面側シート３１の低伸縮部位３１Ｌとが接合されていてもよい。即ち、吸収体２３と重なる領域２３ＰＴには、第１非接合部位１ＮＪＴが形成されていなくてもよい。
【００６８】
また、上述した使い捨ておむつ１においては、図２に示すように、外装体３が腹側領域Ａ、股下領域Ｃ及び背側領域Ｂにわたる砂時計状等の連続した形状のパンツ型使い捨ておむつであるが、外装体３が、腹側外装体、背側外装体及び股下外装体に別部材として区分された分割型のパンツ型使い捨ておむつであってもよい。
【００６９】
また、上述した使い捨ておむつ１においては、図１に示すように、外装体３を有するパンツ型使い捨ておむつであるが、展開型の使い捨ておむつであってもよい。
【００７０】
また、上述した吸収性物品は、図１に示すように、パンツ型使い捨ておむつ１であるが、女性用のショーツタイプの生理用ナプキンであってもよい。
【００７１】
上述した実施形態に関し、さらに以下の吸収性物品を開示する。
【００７２】
＜１＞
縦方向に腹側領域および背側領域と、それらの間に位置する股下領域とを備え、前記腹側領域と前記背側領域とに亘って吸収性材料を含む吸収体を具備する吸収性本体を有し、該腹側領域及び該背側領域それぞれに横方向に延びる腹側伸縮部及び背側伸縮部を有する吸収性物品であって、
前記腹側伸縮部及び前記背側伸縮部は、それぞれ、前記吸収性本体に接合される本体側シートと、該本体側シートの非肌対向面に配される外面側シートとを有し、
前記本体側シート及び前記外面側シートの少なくとも一方は、横方向に伸縮性を有する伸縮シートであり、
前記伸縮シートは、相対的に伸縮性の高い高伸縮部位と相対的に伸縮性の低い低伸縮部位とが横方向に交互に配されており、
前記腹側伸縮部及び前記背側伸縮部の少なくとも一方には、前記伸縮シートが配され、前記吸収体と重なる領域においては前記本体側シートと前記外面側シートとが前記高伸縮部位で接合される第１接合部位を形成し、前記吸収体よりも外方の該吸収体と重ならない領域においては該本体側シートと該外面側シートとが前記低伸縮部位で接合される第２接合部位を形成し且つ前記高伸縮部位で接合されていない第２非接合部位を形成している、吸収性物品。
【００７３】
＜２＞
前記吸収体と重なる領域においては、前記本体側シートと前記外面側シートとが前記低伸縮部位で接合されていない第１非接合部位を形成し、該第１非接合部位と前記第１接合部位とが、縦方向に連続して形成されており、横方向に交互に配されている、前記＜１＞に記載の吸収性物品。
＜３＞
前記吸収体と重なる領域においては、前記第１接合部位は、前記高伸縮部位の全域に形成されている、前記＜１＞又は＜２＞に記載の吸収性物品。
＜４＞
前記本体側シート及び前記外面側シートは、一方が前記伸縮シートであり、他方が非伸縮性のシートである、前記＜１＞〜＜３＞の何れか１に記載の吸収性物品。
＜５＞
前記吸収性物品は、前記吸収性本体の非肌対向面側に配されて該吸収性本体を固定している外装体を具備し、
前記外装体は、前記本体側シートと前記外面側シートとを有し、
前記吸収性本体及び前記外装体との固定部位の位置と、前記吸収体と重なる領域における前記第１接合部位の位置とが重なっている、前記＜１＞〜＜４＞の何れか１に記載の吸収性物品。
【００７４】
＜６＞
前記外面側シートが横方向に伸縮性を有する伸縮シートであり、前記本体側シートは、伸縮性を有しておらず非伸縮性のシートである、前記＜１＞〜＜５＞の何れか１に記載の吸収性物品。
＜７＞
前記外面側シートは、前記腹側領域を構成する腹側外面側シートと、前記背側領域を構成する背側外面側シートとを含んで構成されており、
伸縮性の前記腹側外面側シート及び前記背側外面側シートは、弾性部材の延びる方向と同方向に伸縮可能になっている、前記＜１＞〜＜６＞の何れか１に記載の吸収性物品。
＜８＞
前記腹側伸縮部及び前記背側伸縮部は、それぞれ、非伸縮性の前記本体側シートと伸縮性を有する伸長状態の前記外面側シートとが、前記吸収体と重なる領域においては、前記第１接合部位が形成されている、前記＜１＞〜＜７＞の何れか１に記載の吸収性物品。
＜９＞
ウエストの折り返し部に関して、前記吸収体と重ならない領域においては、前記本体側シートと前記外面側シートの折り返し部とが前記第２接合部位を形成されており、該第２接合部位と、該本体側シート及び該外面側シートの折り返し部の前記第２非接合部位とが、縦方向に連続して形成されており、横方向に交互に配されている、前記＜２＞に記載の吸収性物品。
＜１０＞
前記吸収体に重なる領域と前記吸収体に重ならない領域との縦方向の境界において、縦方向に連続する前記第１接合部位及び前記第１非接合部位が、縦方向に連続する前記第２接合部位及び前記第２非接合部位と連続しておらず、分断している、前記＜９＞に記載の吸収性物品。
＜１１＞
前記腹側領域に関し、前記吸収体と重ならない領域の横方向の長さの総和に対する前記吸収体と重なる領域の横方向の長さの割合（（Ｌ23PT／Ｌ23NT）×１００）は、２０％以上、好ましくは３０％以上であり、そして、６５％以下、好ましくは５５％以下である、前記＜１＞〜＜１０＞の何れか１に記載の吸収性物品。
【００７５】
＜１２＞
前記背側領域に関し、前記吸収体と重ならない領域の横方向の長さの総和に対する前記吸収体と重なる領域の横方向の長さの割合（（Ｌ23PT／Ｌ23NT）×１００）は、２０％以上、好ましくは３０％以上であり、そして、６５％以下、好ましくは５５％以下である、前記＜１＞〜＜１１＞の何れか１に記載の吸収性物品。
＜１３＞
前記腹側領域及び前記背側伸縮部の少なくとも一方に関し、前記吸収体と重なる領域の面積（Ｓ23PT）に対する、前記第１接合部位の面積の総和（Ｓ1JT）の割合（（Ｓ1JT／Ｓ23PT）×１００）は、２５％以上、好ましくは３５％以上であり、そして、７０％以下、好ましくは６０％以下である、前記＜１＞〜＜１２＞の何れか１に記載の吸収性物品。
＜１４＞
前記腹側領域又は前記背側伸縮部の前記吸収体と重なる領域に関し、前記外面側シートの高伸縮部位の横方向の長さ（Ｗ２）に対する、前記本体側シートと前記外面側シートの高伸縮部位との接合部位である第１接合部位の横方向の長さ（Ｗ１）の割合（（Ｗ１／Ｗ２）×１００）は、６０％以上であることが好ましく、８０％以上であり、そして、１５０％以下、好ましくは１２０％以下である、前記＜１＞〜＜１３＞の何れか１に記載の吸収性物品。
＜１５＞
前記腹側領域又は前記背側伸縮部の前記吸収体と重なる領域に関し、前記外面側シートの低伸縮部位の横方向の長さ（Ｗ３）に対する、前記第１接合部位の横方向の長さ（Ｗ１）の割合（（Ｗ１／Ｗ３）×１００）は、５０％以上、好ましくは７０％以上であり、そして、１４０％以下、好ましくは１２０％以下である、前記＜１＞〜＜１４＞の何れか１に記載の吸収性物品。
【００７６】
＜１６＞
前記腹側領域又は前記背側伸縮部の前記吸収体と重なる領域に関し、前記吸収性本体と前記外装体との固定部位である本体固定用接着剤の横方向の長さ（Ｗ４）に対する、前記外面側シートの高伸縮部位の横方向の長さ（Ｗ２）の割合（（Ｗ２／Ｗ４）×１００）は、６０％以上、好ましくは８０％以上であり、そして、１５０％以下、好ましくは１２０％以下である、前記＜５＞に記載の吸収性物品。
＜１７＞
前記腹側領域及び前記背側伸縮部の少なくとも一方に関し、前記吸収体と重ならない領域の面積（Ｓ23NT）に対する、前記第２接合部位の面積の総和（Ｓ2JT）の割合（（Ｓ2JT／Ｓ23NT）×１００）は、２０％以上、好ましくは３５％以上であり、そして、７５％以下、好ましくは６５％以下である、前記＜１＞〜＜１６＞の何れか１に記載の吸収性物品。
＜１８＞
前記腹側伸縮部又は前記背側伸縮部の前記吸収体と重ならない領域の面積（Ｓ23NT）に対する、前記第２非接合部位の面積の総和（Ｓ2NJT）の割合（（Ｓ2NJT／Ｓ23NT）×１００）は、２５％以上、好ましくは３５％以上であり、そして、８０％以下、好ましくは６５％以下である、前記＜１＞〜＜１７＞の何れか１に記載の吸収性物品。
＜１９＞
前記腹側伸縮部又は前記背側伸縮部の前記吸収体と重ならない領域に関し、前記第２接合部位の面積の総和（Ｓ2JT）に対する、前記第２非接合部位の面積の総和（Ｓ2NJT）の割合（（Ｓ2NJT／Ｓ2JT）×１００）は、１００％以上、好ましくは２００％以上であり、そして、１０００％以下、好ましくは８００％以下である、前記＜１＞〜＜１８＞の何れか１に記載の吸収性物品。
＜２０＞
前記腹側領域又は前記背側伸縮部の前記吸収体と重ならない領域に関し、前記外面側シートの高伸縮部位の横方向の長さ（Ｗ２）に対する、前記第２接合部位の横方向の長さ（Ｗ５）の割合（（Ｗ５／Ｗ２）×１００）は、５０％以上、好ましくは７０％以上であり、そして、１５０％以下、好ましくは１００％以下である、前記＜１＞〜＜１９＞の何れか１に記載の吸収性物品。
＜２１＞
前記腹側領域又は前記背側伸縮部の前記吸収体と重ならない領域に関し、前記外面側シートの低伸縮部位の横方向の長さ（Ｗ３）に対する、前記第２接合部位の横方向の長さ（Ｗ５）の割合（（Ｗ５／Ｗ３）×１００）は、４０％以上、好ましくは７０％以上であり、そして、１４０％以下、好ましくは１００％以下である、前記＜１＞〜＜２０＞の何れか１に記載の吸収性物品。
＜２２＞
前記腹側領域及び前記背側伸縮部の少なくとも一方に関し、前記第２接合部位の横方向の長さ（Ｗ５）に対する、前記第１接合部位の横方向の長さ（Ｗ１）の割合（（Ｗ１／Ｗ５）×１００）は、５０％以上、好ましくは７０％以上であり、そして、２００％以下、好ましくは１５０％以下である、前記＜１＞〜＜２１＞の何れか１に記載の吸収性物品。
【００７７】
＜２３＞
前記外面側シートを構成する３枚の腹側外面側シート、背側外面側シート及び股下外面側シートのうち、該腹側外面側シート及び該背側外面側シートが横方向に伸縮性を有し、該股下外面側シートは伸縮性を有しておらず非伸縮性である、前記＜１＞〜＜２２＞の何れか１に記載の吸収性物品。
＜２４＞
前記腹側外面側シート及び前記背側外面側シートは、非弾性繊維を主体とする伸長可能な繊維層の一面に糸状の弾性フィラメントが接合した構成を有し、該繊維層としての２枚の繊維シートと、両シート間に介在配置された該弾性フィラメントとしての弾性部材とを含んで構成されている、前記＜２３＞に記載の吸収性物品。
＜２５＞
複数の前記弾性部材は、互いに交差せずに一方向（横方向）に延びるように配列している、前記＜２４＞に記載の吸収性物品。
＜２６＞
前記弾性部材は、実質的に非伸長状態で２枚の前記繊維シートに接合されている、前記＜２４＞又は＜２５＞に記載の吸収性物品。
＜２７＞
前記繊維シート（非弾性繊維を主体とする伸長可能な繊維層）とこれに接合されている前記弾性部材との間には接着剤が存在しない、前記＜２４＞〜＜２６＞の何れか１に記載の吸収性物品。
＜２８＞
前記高伸縮部位及び前記低伸縮部位それぞれに関し、前記弾性部材の延びる方向の伸長時の長さは、収縮時を１００％としたとき、該高伸縮部位の横方向の長さが該低伸縮部位の横方向の長さよりも長いことを前提として、前記高伸縮部位が、１３０％以上であり、好ましくは３００％以上であり、上限値が６００％以下であり、そして、前記低伸縮部位が、２００％以下、好ましくは１７０％以下であり、下限値が１００％以上である、前記＜２４＞〜＜２７＞の何れか１に記載の吸収性物品。
【符号の説明】
【００７８】
１  パンツ型使い捨ておむつ（吸収性物品）
ＷＡ  腹側伸縮部
ＷＢ  背側伸縮部
２  吸収性本体
２１  表面シート
２２  裏面シート
２３  吸収体
２３ＰＴ  吸収体と重なる領域
２３ＮＴ  吸収体と重ならない領域
２４  防漏カフ
２５  防漏カフ形成用弾性部材
３  外装体
３１  外面側シート
３１Ａ  腹側外面側シート
３１ＡＥ  腹側延出部
３１Ｂ  背側外面側シート
３１ＢＥ  背側延出部
３１Ｃ  股下外面側シート
３１Ｈ  高伸縮部位
３１Ｌ  低伸縮部位
３２  本体側シート
３３  ウエスト弾性部材
３４  レッグ弾性部材
４  本体固定用接着剤
１ＪＴ  第１接合部位
２ＪＴ  第２接合部位
１ＮＪＴ  第１非接合部位
２ＮＪＴ  第２非接合部位
Ａ  腹側領域、Ｂ  背側領域、Ｃ  股下領域
【図１】
2018108338.tif 000003
【図２】
2018108338.tif 000004
【図３】
2018108338.tif 000005
【図４】
2018108338.tif 000006
【図５】
2018108338.tif 000007
【図６】
2018108338.tif 000008